(57)【要約】【課題】間口の狭い場所に設置しても、メンテナンスするときに、前面板45を取り外して筐体22の前面を開放できる給湯装置11を提供する。【解決手段】筐体22の前面板45を左右方向に２分割し、各前面板45の左右方向の幅を筐体22の幅よりも小さくする。間口の狭い場所に設置しても、メンテナンスするときに、前面板45を取り外して筐体22の前面を開放できる。【選択図】図１
2007278544.tif 000002
【特許請求の範囲】
【請求項１】
給湯装置本体と、
この給湯装置本体の前面側を覆う左右方向に分割された複数の前面板を有し、前記給湯装置本体を収容する筐体と
を具備していることを特徴とする給湯装置。
【発明の詳細な説明】
【技術分野】
【０００１】
本発明は、給湯装置本体を筐体に収納した給湯装置に関する。
【背景技術】
【０００２】
従来、例えば電気温水器などの給湯装置では、貯湯タンクや付随する各部品を含む給湯装置本体を四角形箱状の筐体に収容して、屋内や屋外に設置している。
【０００３】
給湯装置本体には貯湯タンクの前面側に各部品などが配置されており、筐体の前面板を外すことにより、開放された筐体の前面開口から給湯装置本体の全ての部品を確認でき、各部品交換や、動作チェックができるように設計されている。
【０００４】
筐体の前面板は、１ピース構造のものが多く（例えば、特許文献１参照）、また、屋外に設置することを考慮して前面板を外したときに雨が電気部品にかからないように、上側と下側とで分割した上下２ピース構造もある。上下２ピース構造では、上側の前面板を外せば、ミキシングバルブ、電装品、逃し弁などの部品を点検でき、また、下側の前面板を外せば、循環ポンプ、減圧弁などの部品を点検でき、さらに、電源を接続する電気工事の場合に、下側の前面板を外せば電源を接続できるようにしている。
【特許文献１】特開２００４−２８６３５７号公報（第３頁、図１）
【発明の開示】
【発明が解決しようとする課題】
【０００５】
ところで、図３に示すように、給湯装置11をマンションやアパートなどの屋内に設置する場合、屋内のパイプスペースなど、部屋の中での小さい収納スペース12などに設置することが多い。収納スペース12は、例えば、台所13とトイレ14との間のスペースである。
【０００６】
しかし、図３に示すように、給湯装置11の前面11aおよび背面に対向して収納スペース12の開口部15，16があり、それら各開口部15，16がドア17，18で開閉されるが、前面側の開口部15の間口の左右方向の幅が給湯装置11の前面板の左右方向の幅よりも狭い場合がある。このような場合、メンテナンスのために、ドア17を開けて開口部15を開放し、給湯装置11から前面板を外しても、外した前面板を開口部15から収納スペース12の外側に出すことができず、給湯装置11の前面を開放することが困難なことがある。
【０００７】
本発明は、このような点に鑑みなされたもので、例えば間口の狭い場所に設置しても、メンテナンスするときに、前面板を取り外して筐体の前面を確実に開放できる給湯装置を提供することを目的とする。
【課題を解決するための手段】
【０００８】
請求項１記載の給湯装置は、給湯装置本体と、この給湯装置本体の前面側を覆う左右方向に分割された複数の前面板を有し、前記給湯装置本体を収容する筐体とを具備しているものである。
【発明の効果】
【０００９】
請求項１記載の給湯装置によれば、筐体の前面板を左右方向に複数に分割し、各前面板の左右方向の幅を筐体の幅よりも小さくしたため、例えば間口の狭い場所に設置しても、メンテナンスするときに、前面板を取り外して筐体の前面を確実に開放できる。
【発明を実施するための最良の形態】
【００１０】
以下、本発明の一実施の形態を図面を参照して説明する。
【００１１】
なお、図３に示した構成は同一符号を用いて説明する。
【００１２】
図１および図２に示すように、給湯装置11は、電気温水器である給湯装置本体21、およびこの給湯装置本体21を収容する筐体22を備えている。
【００１３】
給湯装置本体21は、貯湯タンク24を備え、この貯湯タンク24内には、貯湯タンク24内で湯を沸き上げる上下のヒータ25，26、および浴槽の湯水を循環させて貯湯タンク24内の湯と熱交換して保温したり追い焚きする熱交換器27が、貯湯タンク24の前面側から配設されている。
【００１４】
貯湯タンク24の前面側に、給湯装置11として付随する各部品28が配設されている。すなわち、貯湯タンク24の前面側上部には、貯湯タンク24内の湯と給水される水とを混合して給湯場所に給湯する給湯用電動ミキシングバルブ29、貯湯タンク24内の湯と給水される水とを混合して浴槽に給湯する風呂用電動ミキシングバルブ30、貯湯タンク24内の圧力を逃す逃し弁31、浴槽から湯水の逆流を防止する簡易ホッパ32、電装品などの各部品28が、前面側の下部には、貯湯タンク24内などに供給する給水圧力を減圧する減圧弁33、浴槽の湯水を熱交換器との間で循環させる循環ポンプ34、電装品などの部品28がそれぞれ配設されている。
【００１５】
また、筐体22は、複数の脚部41を有する底面板42、側面から背面の略半分までを構成する断面略Ｌ字形の両側の外装板43、上面板44、および前面板45を有している。
【００１６】
底面板42上に給湯装置本体21が配設され、この底面板42に両側の外装板43が組み付けられるとともにこれら両側の外装板43上に上面板44が組み付けられることにより、貯湯タンク24の前面側および各部品28が臨む開口部46を前面に有する箱形に形成されている。開口部46の上部位置および中間高さ位置には、両側の外装板43間に架設された上下の横枠47が配設されている。
【００１７】
前面板45は、左右方向に同一幅で２分割されていて上下方向に細長い形状に形成されており、これら２つの前面板45で筐体22の前面の開口部46を閉塞可能とする。各前面板45は、各横枠47および底面板42に対して、複数のねじ48で着脱可能に取り付けられている。
【００１８】
一方の前面板45の上部近傍には内側に図示しない操作部が配設される窓部49が形成され、他方の前面板45の下部近傍には排水点検用の窓部50が形成されている。
【００１９】
そして、このように構成された給湯装置11の設置例を図３に示す。給湯装置11をマンションやアパートなどの屋内に設置する場合、屋内のパイプスペースなど、部屋の中での小さい収納スペース12に設置することが多い。収納スペース12は、例えば、台所13とトイレ14との間のスペースである。
【００２０】
給湯装置11の前面11aおよび背面に対向して収納スペース12の開口部15，16があり、それら各開口部15，16がドア17，18で開閉されるが、前面側の開口部15の間口の左右方向の幅が給湯装置11の筐体22の左右方向の幅よりも狭い場合がある。
【００２１】
このような場合でも、メンテナンスのために、ドア17を開けて開口部15を開放し、筐体22から左右方向に分割されている各前面板45を個別に外し、外した各前面板45を開口部15から収納スペース12の外側に出すことができ、筐体22の前面を開放することができる。
【００２２】
このように、筐体22の前面板45を左右方向に分割し、各前面板45の左右方向の幅を筐体22の幅よりも小さくしたため、間口の狭い場所に設置しても、メンテナンスするときに、各前面板45を取り外して筐体22の前面を確実に開放できる。
【００２３】
なお、前面板45は、左右方向に２分割する構成に限らず、３分割以上に分割してもよい。さらに、前面板45は、左右方向に分割するのに加えて、上下方向にも複数に分割してもよい。
【００２４】
また、前面板45は、左右方向で幅を異ならせてもよい。
【００２５】
また、前面板45は、例えば、中央域などの一部は筐体22に対して着脱可能とするが、側部域などの残り一部は筐体22に対して固定でもよい。
【図面の簡単な説明】
【００２６】
【図１】本発明の一実施の形態を示す給湯装置の分解状態の斜視図である。
【図２】同上給湯装置の組立状態の斜視図である。
【図３】同上給湯装置の設置例を示す平面図である。
【符号の説明】
【００２７】
11    給湯装置
21    給湯装置本体
22    筐体
45    前面板
【図１】
2007278544.tif 000003
【図２】
2007278544.tif 000004
【図３】
2007278544.tif 000005